(57)【要約】【課題】安全でかつ軽量で、収穫物の根切りを容易に作業することができ、根切り位置を容易に一定にすることができる根切り機を提供することである。【解決手段】２つの車輪２３を有するフレーム２０に保持部１０が固設され、フレーム２０の側面部に根切り刃３０が設けられる。根切り刃３０は、刃先３１が水平面においてフレーム２０の側面部からフレーム２０の進行方向と垂直な方向に延在するととともに、鉛直面においてフレーム２０の進行方向に対して下方向に湾曲したＲ形状を有するものである。【選択図】図１
2007295927.tif 000002
【特許請求の範囲】
【請求項１】
軟弱野菜の収穫物の根切りを行う収穫装置であって、
一輪車を含むフレームと、
前記フレームに固設された棒状部および把持部を有する保持部と、
前記フレームの側面部に設けられた根切り刃と、を含み、
前記根切り刃は、刃先が水平面において前記フレームの側面部から前記フレームの進行方向と垂直な方向に延在するととともに、鉛直下方向に湾曲したＲ形状を有することを特徴とする収穫装置。
【請求項２】
前記フレームは、前記フレームの側面部に設けられた根切り刃を収納可能な収納部を前記フレームの側面部に有することを特徴とする請求項１記載の収穫装置。
【請求項３】
前記根切り刃を前記収納部に収納するための回転操作部と、
前記根切り刃を側面部から前記進行方向と垂直方向に延在させた位置で固定する固定具と、をさらに有し、
前記回転操作部は前記保持部に設けられ、前記回転操作部が回動されることにより前記根切り刃を前記延在させた位置および前記収納部に収納された位置のいずれか一方に移動させることができ、
前記固定具は、前記根切り刃を前記延在させた位置および前記収納部に収納された位置の夫々の位置で前記根切り刃を貫通することにより前記フレームに対して前記根切り刃を固定することができることを特徴とする請求項２記載の収穫装置。
【請求項４】
野菜の収穫物の根切りを行う収穫装置であって、
一輪車を含むフレームと、
前記フレームに固設された棒状部および把持部を有する保持部と、
前記フレームの前方部に設けられた根切り刃と、
前記根切り刃を前記フレームに固定させるための一対の刃物保持部と、を含み、
前記根切り刃は、前記根切り刃の一端が前記一対の刃物保持部の一方の端部に固設され、前記根切り刃の他端が前記一対の刃物保持部の他方の端部に固設され、鉛直下方向に湾曲したＲ形状を有する湾曲したＲ形状を有することを特徴とする収穫装置。
【請求項５】
前記保持部は、一対の棒状部を有する棒部材と、把持部を有する棒状部材とを含み、
前記一対の棒状部を有する棒部材の一端側は前記フレームに固設され、前記一対の棒状部を有する棒部材の他端側は前記把持部を有する棒状部材に固設されたことを特徴とする請求項１から請求項４のいずれか１項に記載の収穫装置。
【請求項６】
前記保持部は、補助把持部材をさらに含み、
前記補助把持部材は、補助把持部を有する部材からなり、前記一対の棒状部を有する棒部材に取り付けられたことを特徴とする請求項５記載の収穫装置。
【請求項７】
前記補助把持部材は、一対の把持部を有する棒状部材からなり、前記一対の把持部を有する棒状部材の一端側が、前記一対の棒状部を有する棒部材に取り付けられ、前記一対の把持部を有する棒状部材の他端側が前記進行方向に延在するように取り付けられたことを特徴とする請求項５記載の収穫装置。
【請求項８】
前記補助把持部材は、
前記一対の棒状部を有する棒部材の長手方向を軸として回動調整可能に取り付けられたことを特徴とする請求項５から請求項７のいずれか１項に記載の収穫装置。
【請求項９】
前記根切り刃および前記一対の刃物保持部は、取り外し可能に設けられたことを特徴とする請求項４から請求項８のいずれか１項に記載の収穫装置。
【請求項１０】
前記根切り刃は、その長手方向に沿って所定の領域ごとに複数の色分けが施されるとともに、前記湾曲したＲ形状の底部から両端部方向にかけて前記底部を中心として対称となる前記所定の領域に同色に色分けが施されていることを特徴とする請求項１から請求項９のいずれか１項に記載の収穫装置。
【請求項１１】
前記根切り刃は、前記湾曲したＲ形状の先端部において鉛直上方向に延在する棒針形状が設けられたことを特徴とする請求項１から請求項１０のいずれか１項に記載の収穫装置。
【請求項１２】
前記フレームは、
Ｌ字鋼を平行に配置し、それらを部材で連結することにより矩形状に形成される土台部と、
前記一輪車と、
前記一輪車を支持する軸と、
前記土台部と前記一輪車とを連結する支持部と、を含み、
前記支持部を調整することにより前記一輪車の軸高さと前記土台部との矩形状の面高さとを相対的に調整することができることを特徴とする請求項１から請求項１１のいずれか１項に記載の収穫装置。
【請求項１３】
前記一輪車は、２個の車輪を同軸で近接して設けたことを特徴とする請求項１２に記載の収穫装置。
【請求項１４】
前記一輪車の前記進行方向と逆側に設けられた補助接地部材をさらに含み、
前記補助接地部材は、前記土台部に固設されたことを特徴とする請求項１２または請求項１３に記載の収穫装置。
【請求項１５】
前記補助接地部材は、前記土台部に対し衝撃吸収部材を介して固設されたことを特徴とする請求項１４に記載の収穫装置。
【請求項１６】
前記補助接地部材は、対接地面を有する板部材からなることを特徴とする請求項１４または請求項１５に記載の収穫装置。
【請求項１７】
前記補助接地部材は、補助車輪を含むことを特徴とする請求項１４から請求項１６のいずれか１項に記載の収穫装置。
【請求項１８】
前記フレームは、前記一輪車の軸部分に回動可能に設けられた補助保持部をさらに有し、
前記保持部の把持部および前記補助保持部により前記フレームを容易に移動できるようにしたことを特徴とする請求項１から請求項１７のいずれか１項に記載の収穫装置。
【請求項１９】
前記フレームは、前記根切り刃の進行方向に対して後方に収穫物収納部を有し、
前記収穫物収納部は、格子状の部材からなり、前記根切り刃により収穫された収穫物を保持可能に設けられたことを特徴とする請求項１から請求項１８のいずれか１項に記載の収穫装置。
【発明の詳細な説明】
【技術分野】
【０００１】
本発明は、葉物野菜、大和マナまたは軟弱野菜等の収穫作業時に使用する根切り装置に関する。
【背景技術】
【０００２】
従来、田畑の葉物野菜、大和マナ（アブラナ科植物）または軟弱野菜等の収穫時には、作業者が収穫すべき野菜を傷付けないように一方の手で押さえた上で、他方の手に持った鎌等により根切りを行っていた（図１３（ａ）参照）。
【０００３】
しかしながら、このような手作業による収穫作業は、中腰の姿勢で行われることから腰痛の原因となり易いという問題があり、種々の開発が行われている。
【０００４】
特許文献１には、ホウレンソウなどの葉物野菜の刈取り作業を軽減することのできる葉物野菜刈取機について開示されている。
【０００５】
特許文献１記載の葉物野菜刈取機においては、台車と、台車から側方に延出する切断刃部材とを有し、切断刃部材は、高さ調整機構によって台車との相対高さを調整することができるものである。また、切断刃部材は、突出量調整機構によって、台車から側方への突出量を調整することができる。刈取機を畝に沿って押し進めると、畝に植えた一連のホウレンソウの根の上端が切断刃部材の切り刃によって次々に切断される。
【０００６】
特許文献２には、ホウレンソウ等の軟弱野菜を収穫するにあたり、露地圃場や施設内での操作が容易で、根切り作業を立位姿勢で行うことができ、野菜の根部を高能率に切断することができる小型かつ軽量な野菜根切り収穫機について開示されている。
【０００７】
特許文献２記載の野菜根切り収穫機においては、フレームが、車輪の両端において車輪の中心軸に固定されている。動力原付き駆動軸にはスプロケットが固定され、スプロケットはチェーンによりスプロケットと連結している。スプロケットは軸を介して軸変スプロケットと連結しており、軸変スプロケットは、中心から約２ｃｍ離れた位置にある連結軸によって金属棒と連結している。金属棒は軸変スプロケットと反対側にある軸を介して、フレームにベアリングで固定されている切断刃の柄の先端と連結している。傾斜板が、フレームの先端に地面との高さ調節が可能なように取り付けられている。
【特許文献１】特願平１１-２２５５４１号公報
【特許文献１】特開２００５-３０４４４６号公報
【発明の開示】
【発明が解決しようとする課題】
【０００８】
しかしながら、特許文献１および特許文献２のいずれにおいても、使用場所が田畑であるため、地面においては凸凹面がかならずあり、この凸凹面を吸収しつつ、収穫物の根切り位置を一定にすることは困難である。すなわち、収穫物の均一化が求められる中、凸凹面による影響で、刃物が上下にばらつくので、収穫物の根切り位置がばらつく結果となる。さらに直線状に延在する刃物により収穫作業を行うため、当該刃物が土中深く突き刺さることにより抵抗が大きくなり、作業者の負担が増大する問題がある。
【０００９】
また、近年のビニールハウス等においては、敷地面積を有効利用するため、畝をほとんど設けず、最小限スペースの移動部分しか設けられていない。したがって、特許文献１記載の葉物野菜刈取機では、４輪からなる台車の幅があるため、葉物野菜刈取機の走行領域を確保することが困難である。
【００１０】
さらに、特許文献２記載の野菜根切り収穫機においては、動力原付きであるため、装置重量が重くなり、高齢者の作業者には操作が困難である。さらに、ビニールハウスなどの密閉された空間では、長時間の使用による悪臭や酸欠症状等も考えられ、使用に十分な注意力が必要となる。
【００１１】
本発明の目的は、安全でかつ軽量で、収穫物の根切りを容易に作業することができ、根切り位置を容易に一定にすることができる根切り機を提供することである。
【００１２】
本発明の他の目的は、安全でかつ軽量で、収穫物の根切りを安定して作業することができる根切り機を提供することである。
【課題を解決するための手段及び効果】
【００１３】
（１）
本発明に係る収穫装置は、軟弱野菜の収穫物の根切りを行う収穫装置であって、一輪車を含むフレームと、フレームに固設された棒状部および把持部を有する保持部と、フレームの側面部に設けられた根切り刃とを含み、根切り刃は、刃先が水平面においてフレームの側面部からフレームの進行方向と垂直な方向に延在するととともに、鉛直面において鉛直下方向に湾曲したＲ形状を有するものである。
【００１４】
本発明に係る収穫装置においては、一輪車を有するフレームに保持部が固設され、フレームの側面部に根切り刃が設けられる。根切り刃は、刃先が水平面においてフレームの側面部からフレームの進行方向と垂直な方向に延在するととともに、鉛直面において車輪の回転によるフレームの進行方向に対して鉛直下方向に湾曲したＲ形状を有するものである。なお、根切り刃は、フレームの進行方向と垂直な方向に延在する場合のみならず、フレームに固定された根切り刃の一端が進行方向に位置させ、根切り刃の他端が一端よりも後退方向に位置させてもよい。すなわち、収穫物に対して傾斜角をもって根切り刃を当てるようにしてもよい。
【００１５】
この場合、収穫装置は一輪車からなるので、自由に傾斜させることができる。だから、作業中に畝に凸凹があっても即座に刃先の上下調整を行うことが可能であり、収穫物の根切り位置を一定に調整することができる。また、ビニールハウス等の畝の領域が狭い場合でも、一輪車であるため、作業者の歩行領域より狭い範囲の移動領域で済む。さらに、フレームに取り付けられた刃先がフレームの進行方向に対して側方に延在するとともに、上下に湾曲しているため、フレームが傾斜した場合でも、収穫物に対して適切に刃先を差込み、根切り作業を行うことができる。
【００１６】
（２）
フレームは、フレームの側面部に設けられた根切り刃を収納可能な収納部をフレームの側面部に有してもよい。
【００１７】
この場合、フレームの側面部に根切り刃を収納することができるので、根切り刃を使用しない場合に、根切り刃をフレームの側面部に収納することができる。そのため、根切り刃の不使用時において作業者に対して安全を与えることができる。
【００１８】
（３）
収穫装置は、根切り刃を収納部に収納するための回転操作部と、根切り刃を側面部から進行方向と垂直方向に延在させた位置で固定する固定具と、をさらに有してもよい。
【００１９】
この場合、回転操作部は、保持部に設けられ、回転操作部を回動させることにより、根切り刃を延在させた位置および収納部に収納された位置のいずれか一方に移動させることができ、固定具は、根切り刃を延在させた位置および収納部に収納された位置の夫々の位置で根切り刃を貫通することによりフレームに対して根切り刃を固定できる。その結果、作業者は、腰をかがめて根切り刃の出し入れを行うことなく、保持部に設けられた回転操作部を回動させるとともに、固定具を動作させることで、根切り刃の出し入れを安全に行うことができる。また、根切り作業を行う場合には、根切り刃が固定具により固定されるので根切り作業時に根切り刃が収納されることなく、確実に根切り作業を行うことができる。なお、回転操作部としては、具体的にレバー、スイッチ等を用いてもよい。
【００２０】
（４）
本発明に係る収穫装置は、野菜の収穫物の根切りを行う収穫装置であって、一輪車を含むフレームと、フレームに固設された棒状部および把持部を有する保持部と、フレームの前方部に設けられた根切り刃と、根切り刃をフレームに固定させるための一対の刃物保持部とを含み、根切り刃は、根切り刃の一端が一対の刃物保持部の一方の端部に固設され、根切り刃の他端が一対の刃物保持部の他方の端部に固設され、鉛直下方向に湾曲したＲ形状を有する湾曲したＲ形状を有するものである。
【００２１】
本発明に係る収穫装置においては、一輪車を有するフレームに保持部が固設され、フレームの前方部に一対の刃物保持部が形成され、一対の刃物保持部に根切り刃が設けられる。根切り刃は、フレームの進行方向に対して垂直な方向の鉛直面において下方向に湾曲したＲ形状を有するものである。
【００２２】
この場合、収穫装置は一輪車からなるので、自由に傾斜させることができ、畝に凸凹があっても刃先を適切に収穫物の根にあてることができる。また、ビニールハウス等の畝の領域が狭い場合でも、一輪車であるため、作業者の歩行領域より狭い範囲で作業を行うことができる。さらに、フレームに取り付けられた刃先がフレームの進行方向に対して前方において水平面よりも下側に湾曲しているため、フレームが傾斜した場合でも、収穫すべき対象に対して適切に刃を差込み、根切り作業を行うことができる。例えば、力が必要となるハクサイ等の根切り作業時に対しても容易に力を加えることができる。
【００２３】
（５）
保持部は、一対の棒状部を有する棒部材と、把持部を有する棒状部材とを含み、一対の棒状部を有する棒部材の一端側はフレームに固設され、一対の棒状部を有する棒部材の他端側は把持部を有する棒状部材に固設されてもよい。
【００２４】
この場合、一対の棒状部を有する棒部材および把持部を有する棒状部材により、収穫装置を容易に移動させて、収穫作業を行うことができる。例えば、一対の棒状部を有する棒部材は、把持部を有する棒状部材に直交して取り付けられることにより、水平に配設された棒状部材を作業者が押すことによりフレームに取り付けられた根切り刃を進行方向に移動させることができる。
【００２５】
（６）
保持部は、補助把持部材をさらに含み、補助把持部材は、補助把持部を有する部材からなり、一対の棒状部を有する棒部材に取り付けられてもよい。
【００２６】
この場合、作業者が補助把持部を把持し、棒状部材を作業者の体または腕に接触させることにより、収穫装置を容易に移動させることができる。また、補助把持部は、一対の棒部材からなってもよく、またはコ字状の一部材からなってもよい。また、例えば自転車のエアロバーのように、腕全体または上半身全体を棒状部材に支持させて力を与え、補助把持部からも力を加えて収穫作業を行うこともできる。この場合、作業者の力を加える部分が分散されるので、疲労度を低減することができる。
【００２７】
（７）
補助把持部材は、一対の把持部を有する棒状部材からなり、一対の把持部を有する棒状部材の一端側が、一対の棒状部を有する棒部材に取り付けられ、一対の把持部を有する棒状部材の他端側が進行方向に延在するように取り付けられてもよい。
【００２８】
この場合、作業者が両方の掌で補助把持部を把持し、棒状部材を作業者の体または腕に接触させることにより、作業者は全体重を収穫装置に加えることができ、収穫装置をさらに容易に移動させることができる。また、棒状部材の他端側が、進行方向に配設されていることにより、把持部を有する棒状部材および補助把持部材の両方に力を分散することができる。
【００２９】
（８）
補助把持部材は、一対の棒状部を有する棒部材の長手方向を軸として回動調整可能に取り付けられてもよい。
【００３０】
この場合、作業者の体格または趣向に合わせて補助把持部を回動調整できるので、力の分散方向について作業者の趣向に合わせることができ、収穫作業の効率を高めることができる。
【００３１】
（９）
根切り刃および一対の刃物保持部は、取り外し可能に設けられてもよい。
【００３２】
この場合、根切り刃および一対の刃物保持部は、取り外し可能に設けられるので、例えば、力が必要となるハクサイ等の根切り作業時には、根切り刃および一対の刃物保持部を取り付け、力が必要とならない根切り作業時には、根切り刃および一対の刃物保持部を取り外すことができる。それにより、多品種の収穫物の根切り作業に使用することができる。
【００３３】
（１０）
根切り刃は、その長手方向に沿って所定の領域ごとに複数の色分けが施されるとともに、湾曲したＲ形状の底部から両端部方向にかけて底部を中心として対称となる所定の領域に同色の色分けが施されていることが好ましい。
【００３４】
この場合、根切り刃に色分けがされているので、作業者に対して根切り刃がどれだけ土中に入っているのかを容易に認識させることができる。
【００３５】
また、根切り刃に対して水平面において段階的に色を変更させることにより根切り刃の土中に入っている刃の量および刃の姿勢を判定することができる。それにより、収穫物の根切り位置を調整することができる。
【００３６】
（１１）
根切り刃は、湾曲したＲ形状の先端部において鉛直上方向に延在する棒針形状が設けられてもよい。
【００３７】
この場合、根切り刃の全体が土中に埋没した場合でも、鉛直上方向に延在する棒針形状が土中から突出しているので、土中の刃の位置を容易に認識することができる。すなわち、根切り刃の土中に入っている刃の量および刃の姿勢を判定することができる。また、棒針形状であるので、根切り刃の全体が土中に埋没した場合であっても、作業中に発生する刃の土中移動の負荷を低減することができる。
【００３８】
（１２）
フレームは、Ｌ字鋼を平行に配置し、それらを部材で連結することにより矩形状に形成される土台部と、一輪車と、一輪車を支持する軸と、土台部と一輪車とを連結する支持部と、を含み、支持部を調整することにより一輪車の軸高さと土台部との矩形状の面高さとを相対的に調整できてもよい。なお、フレームは、Ｌ字鋼に限定されず、丸鋼、コ字状鋼、角鋼、平板鋼等の任意の部材のうち一または複数を組み合わせて用いてもよい。
【００３９】
この場合、収穫物の種類によって、畝の高さまたは根の高さが異なるため、支持部を調整することにより土台部と一輪車との高さを相対的に調整することができる。その結果、フレームに取り付けられた根切り刃の高さを収穫物の種類によって調整することができる。
【００４０】
（１３）
一輪車は、２個の車輪を同軸で近接して設けてもよい。
【００４１】
この場合、２個の車輪を同軸で近接して設けることにより、自由に傾斜させることができ、畝に凸凹があっても刃先を適切に収穫物の根にあてることができる。また、同軸で形成されない２輪車または４輪車と比較して、狭い範囲で作業を行うことができ、また１個の車からなる一輪車よりも安定度を高めることができる。また、ビニールハウス等の畝の領域が狭い場合でも、同軸で近接した２個の車輪であるため、作業者の歩行領域より狭い範囲で作業を行うことができる。なお、必ず２個の車輪が必要となるのではなく、１個の車輪から形成されてもよい。
【００４２】
（１４）
一輪車の進行方向と逆側に設けられた補助接地部材をさらに含み、補助接地部材は、土台部に固設されてもよい。
【００４３】
この場合、補助接地部材が一輪車の進行方向後ろ側に設けられるので、補助接地部材により土台部が地面に対して安定して移動し、収穫装置を容易に使用することができる。その結果、作業者の負担を軽減することができる。また、収穫装置の移動の際に、力の分散が行われるので、一輪車が地面にもぐりこむことを防止することができる。
【００４４】
（１５）
補助接地部材は、土台部に対し衝撃吸収部材を介して固設されてもよい。
【００４５】
この場合、衝撃吸収部材により土台部と補助接地部材との間における振動を低減することができる。また、補助接地部材は、土台部と一対の棒状部を有する棒状部材との間に設けてもよい。それにより作業者に対する振動を防止することができる。なお、衝撃吸収部材は、受動的構造および能動的構造のいずれであってもよく、例えば、弾性体のみ、または弾性体と振動減衰体とからなる構造を有してもよい。ここで、弾性体とは、バネ、スプリング等であり、振動減衰体とは、ゴム、ダンパー、オイルダンパー等である。
【００４６】
（１６）
補助接地部材は、対接地面を有する板部材からなってもよい。
【００４７】
この場合、補助接地部材は、対接地面を有する板部材からなるので、収穫装置を安定して移動させることができる。特に、板部材がそり形状からなることにより、田畑において地面上を容易に移動させることができるとともに、車輪が地中にもぐりこむことを防止することができる。
【００４８】
（１７）
補助接地部材は、補助車輪を含んでもよい。
【００４９】
この場合、補助接地部材は、補助車輪を含むので、収穫装置を安定して移動させることができる。すなわち、一輪車と補助車輪とから構成させてもよい。さらに、補助接地部材は、板部材に設けた長孔部に補助車輪を介挿して配設させることとしてもよいので、板部材により地中へのもぐりこみを防止しつつ、車輪により移動を容易にすることができる。
【００５０】
（１８）
フレームは、一輪車の軸部分に回動可能に設けられた補助保持部をさらに有し、保持部の把持部および補助保持部によりフレームを容易に移動できるようにしたものである。
【００５１】
この場合、作業者は、保持部の把持部および補助保持部を持って収穫装置を容易に移動させることができる。そのため、軽量化されている装置の重量をさらに、保持部と補助保持部とに分配させることができるので、移動作業を円滑にかつ容易に行うことができる。
【００５２】
（１９）
フレームは、根切り刃の進行方向に対して後方に収穫物収納部を有し、収穫物収納部は、格子状の部材からなり、根切り刃により収穫された収穫物を保持できるように設けられてもよい。
【００５３】
この場合、根切り刃で根切りを行った収穫物を収穫物収納部に載置させることができる。そのため、作業者に対して収穫物を個々に収集させる必要がなくなり、作業負担を軽減させることができる。また、格子状の部材を用いることにより収穫物に付着した土や砂を落下させることができる。
【発明を実施するための最良の形態】
【００５４】
以下、本発明に係る実施の形態について説明する。
【００５５】
（第１の実施の形態）
図１は、本発明に係る第１の実施の形態に係る収穫装置の一例を示す模式的斜視図であり、図２は図１の収穫装置の正面図であり、図３は図１の収穫装置の側面図である。
【００５６】
図１、図２および図３に示すように、収穫装置１００は、保持部１０、フレーム２０、根切り刃３０、補助保持部４０および収穫物収納網５０を含む。保持部１０は、ハンドル部１１、一対の保持棒１２および強度保持棒１３を含む。また、フレーム２０は、一対のＬ字鋼２１、一対の保持部材２２、車輪２３、車輪軸２４（図２参照）および一対の保持部２５、２６を含む。
【００５７】
図１および図２に示すように、フレーム２０は、一対のＬ字鋼２１および保持部２５、２６により矩形状の枠が形成される。なお、一対のＬ字鋼２１は、これに限定されず、他の任意の板状鋼、角パイプ、丸パイプ、コ字状パイプ等他の任意のパイプまたは鋼を用いてもよい。その矩形状の枠の内部に車輪軸２４が設けられ、２つの車輪２３が同軸上に近接して設けられる。本実施の形態においては、安定度確保のため、２つの車輪２３を同軸上に近接して設けることとしたが、これに限定されず、１つの車輪２３を設けることとしてもよい。
【００５８】
次に、図１のハンドル部１１には、一対の保持棒１２の一端側が取り付けられる。また、一対の保持棒１２の他端側には、一対のＬ字鋼２１の一端側が取り付けられ、一対の保持棒１２の他端には、保持部材２２が設けられる。それにより、図３に示すように、保持部材２２、一対の保持棒１２の一部および一対のＬ字鋼２１により三角形が形成される。それにより、保持部１０およびフレーム２０間の強度が保持される。
【００５９】
次いで、一対のＬ字鋼２１の先端には、根切り刃３０が設けられる。なお、図１においては、進行方向に対して右側に根切り刃３０を設けることとしたが、これに限定されず、左右に設けてもよく、左側に設けてもよい。根切り刃３０はフレーム２０の一対のＬ字鋼２１に対して水平面において垂直に側方に沿って設けられている。すなわち、収穫装置１００の進行方向と垂直な方向に延在して設けられる。この根切り刃３０の詳細形状については後述する。根切り刃３０は、収納可能に設けられており、Ｌ字鋼２１の鉛直下面に沿って収納される。具体的には、ハンドル部１１に設けられたレバー１１ａを操作することにより、根切り刃３０がＬ字鋼２１の鉛直下面から回転して突出し、さらにレバー１１ａを押すことにより根切り刃３０に設けられた固定孔３５（図４参照）に固定金具が貫通されて根切り刃３０が固定される。また、収納時には、ハンドル部１１に設けられたレバー１１ａを操作することにより根切り刃３０に設けられた固定孔３５（図４参照）から固定金具が引き抜かれ、さらにレバー１１ａを操作することにより根切り刃３０がＬ字鋼２１に収納される。なお、本実施の形態においてはレバー１１ａを用いることとしたが、これに限定されず、スイッチ等を用いてもよい。この効果については、後述する。
【００６０】
続いて、図１に示すように、収穫装置１００の進行方向に対して根切り刃３０の後ろ側には、収穫物収納網５０が設けられる。収穫物収納網５０は、格子状からなる金属部材からなり、Ｌ字鋼２１および保持棒１２に設けられた係止部に係止される。この収穫物収納網５０は、取り外し可能に設けられる。根切り刃３０により収穫された収穫物が、収穫物収納網５０上に載置され、所定の量の収穫物を一箇所に集めることができる。また、収穫物収納網５０は、格子状からなるので収穫物に付着した土、砂等を格子状の隙間から下方に落下させることができる。
【００６１】
次に、図１に示すように、車輪軸２４には、回転可能な状態で補助保持部４０が取り付けられている。この補助保持部４０は、収穫装置１００を運搬する際に矢印Ｒ１の方向に回転（図３参照）させて使用される。その結果、収穫装置１００の重量がハンドル部１１と補助保持部４０とに分配されるため、作業者が年配の場合でも容易に収穫装置１００を移動させることができる。
【００６２】
次に、図４および図５は根切り刃３０の形状の一例を示す模式図である。また、図６および図７は根切り刃３０の形状の効果を示す模式図である。
【００６３】
図４に示すように、根切り刃３０は、刃先３１、刃地３２、回転軸孔３３、目釘孔３４および固定孔３５を備える。根切り刃３０は、回転軸孔３３を軸として収穫装置１００のフレーム２０のＬ字鋼２１の鉛直下面に沿って回転可能に設けられる。そして、レバー１１ａ（図１参照）を操作することにより、固定金具が固定孔３５を貫通し、根切り刃３０が完全に固定される。
【００６４】
また、根切り刃３０は、図５に示すように、刃地３２および刃先３１の部分が鉛直下方向に湾曲してＲ形状に形成されている。この場合、図６（ａ）に示すように、根切り刃３０ｚが直線の場合、車輪２３ｚが傾斜すれば畝に刃先３１ｚの先端が深く潜りこむこととなる（図中距離Ｌ）。それにより、収穫装置１００の抵抗が増大することとなる。しかし、図６（ｂ）に示すように、根切り刃３０がＲ形状からなる場合、車輪２３が傾斜しても、刃先３１の先端が一定深さ（図中距離ｌ＜距離Ｌ）以上の潜り込みを防止することができる。したがって、収穫装置１００の抵抗を一定量に抑制することができる。
【００６５】
さらに、図７（ａ）に示すように、根切り刃３０Ｚが直線の場合、車輪２３ｚが傾斜すれば、収穫物に根切り刃３０ｚがあたり、収穫物の損傷を発生させることとなるが、図７（ｂ）に示すように、根切り刃３０がＲ形状からなる場合、車輪２３が傾斜しても、根切り刃３０の先端が収穫物に与える損傷を抑制することができる。
【００６６】
次に、図８および図９は根切り刃３０の形状の他の例を示す模式図である。図８は刃物先端部の根切り刃３０の他の例を示した模式的上面図であり、図９は刃物先端部の根切り刃３０の他の例を示した模式的側面図である。
【００６７】
図８に示すように、根切り刃３０ａは、刃地３２および刃先３１の色を所定の領域毎に変更させている。例えば、図８および図９に示すように、根切り刃３０ａの面３６から下方向に１ｃｍ下がるまでの領域３２ａ，３２ｇを赤とし、次に根切り刃３０ａの面３６から下方向に１ｃｍ以上、２ｃｍ下がるまでの領域３２ｂ，３２ｆを青、次に根切り刃３０ａの面３６から下方向に２ｃｍ以上、３ｃｍ下がるまでの領域３２ｃ，３２ｅを黄、次に根切り刃３０ａの面３６から下方向に３ｃｍ以上、４ｃｍ下がるまでの領域３２ｄを緑、の着色を行う。それにより、作業者に対して土中にどれだけ刃先３１が入り込んでいるかを判定させることができる。なお、本実施の形態においては、刃地３２に色を着色することとしたが、これに限定されず、刃地３２の構造自体に着色させるものとしてもよい。この場合、継続使用による擦傷によって色調が損失することを防止することができる。
【００６８】
次に、図１０および図１１は根切り刃３０の形状のさらに他の例を示す模式図である。図１０は刃物先端部の３０の他の例を示した模式的上面図であり、図１１は刃物先端部の３０の他の例を示した模式的側面図である。
【００６９】
図１０および図１１に示すように、根切り刃３０ｂは、根切り刃３０ｂの面３６と反対側の一端に目印針３７を設ける。この目印針３７は、根切り刃３０ｂの刃先および刃地が土中に埋まっている場合でも、地表に出現する長さで設けられる。それにより、作業者に対して土中にどれだけ刃先３１が入り込んでいるかを判定させることができる。なお、本実施の形態においては、目印針３７を新たに設けることとしたが、これに限定されず、刃地３２を鉛直上向きに折り曲げるように形成してもよい。それにより、新たな部品の削減を行うことができる。
【００７０】
続いて、第１の実施の形態に係る収穫装置１００の効果について説明する。図１２は収穫装置１００を畝に適用した状態を示す図であり、図１３は収穫装置１００を使用した場合の効果を示す図である。
【００７１】
図１２に示すように、本実施の形態における収穫装置１００は、畝に沿って移動させることにより、軟弱野菜等の収穫物２００の根を切断することができる。すなわち、作付けされた収穫物に対して、根切り刃３０が畝の中に進入して移動されるため、適切に根切りを行うことができる。
【００７２】
また、図１３（ａ）および（ｂ）に示すように、根切り作業を行う場合、図１３（ａ）に示すように、従来は、作業者が片手に収穫物２００を把持して他方の手で鎌を持って収穫していたのに対し、本実施の形態においては図１３（ｂ）に示すように、立位姿勢で収穫装置１００を移動させることで、収穫物２００の根切り作業を行うことができるため、腰痛等の発生を低減させることができる。
【００７３】
（第２の実施の形態）
図１４は、本発明に係る第２の実施の形態に係る収穫装置の一例を示す模式的斜視図であり、図１５は図１４の収穫装置の正面図であり、図１６は図１４の収穫装置の側面図である。
【００７４】
図１４、図１５および図１６に示す収穫装置１００ａは、第１の実施の形態に係る収穫装置１００を構成する部品をそのまま使用したものであり、一対のＬ字鋼２１の取り付け位置および一対の保持部材２２の取り付け位置を変更させたものである。
【００７５】
具体的には、一対の保持棒１２の他端に、一対のＬ字鋼２１の一端側が取り付けられ、一対の保持棒１２の他端側には、保持部材２２の一端が設けられ、保持部材２２の他端が一対のＬ字鋼２１の一端に取り付けられる。それにより、図１６に示すように、保持部材２２、一対の保持棒１２の一部および一対のＬ字鋼２１により三角形が形成される。それにより、保持部１０およびフレーム２０間の強度が保持される。なお、この場合、図３に示したフレーム２０の根切り刃３０と車輪２３の底部との相対距離に対して、図１６に示したフレーム２０の根切り刃３０ｂと車輪２３の底部との相対距離の方が短い。すなわち、第２の実施の形態に係る収穫装置１００ａは、ビニールハウス等の畝が形成されていない場所で使用するのに適している。
【００７６】
このように、第１の実施の形態に係る収穫装置１００の保持部材２２の取付け位置を変更することにより一般の屋外における根切り作業およびビニールハウス等の屋内における根切り作業のいずれも一台の収穫装置で対応することができる。
【００７７】
（第３の実施の形態）
図１７は、第３の実施の形態に係る収穫装置の一例を示す模式的斜視図であり、図１８は図１７の収穫装置の正面図であり、図１９は図１７の収穫装置の側面図である。
【００７８】
図１７に示すように、収穫装置１００ｂは、第１の実施の形態における収穫装置１００に、さらに一対の保持部材６０および根切り刃３０ｃを含む。
【００７９】
図１７に示す収穫装置１００ｂは、一対のＬ字鋼２１の一端側（収穫装置１００ｂの進行方向）の個々に、一対の保持部材６０の一端側がそれぞれ取り付けられる。一対の保持部材６０の他端側には、根切り刃３０ｃが設けられる。
【００８０】
図１７〜図１９に示す収穫装置１００ｂは、ハクサイ等の収穫物の根切り作業に力が必要な場合に有効な装置である。すなわち、収穫装置１００ｂを前方に押し出すことにより根切り刃３０ｃがハクサイの根を容易に切ることができる。
【００８１】
また、一対の保持部材６０および根切り刃３０ｃは、それぞれ取り外すことができ、取り外すことにより第１の実施の形態に係る収穫装置１００と同一の装置にすることもできる。なお、一対の保持部材６０は、途中でねじりにより形成されている。すなわち、一対のＬ字鋼２１の鉛直面に前記一対の保持部材６０の一端側が取り付けられ、一対の保持部材６０の他端側が略水平面に形成され、根切り刃３０ｃが設けられる。このねじりにより一対の保持部材６０の剛性が高められている。なお、当該ねじりに関わらず、焼入れ処理等により剛性を高めてもよい。
【００８２】
次に、図２０および図２１は根切り刃３０ｃの形状の一例を示す模式図である。
【００８３】
図２０に示すように、根切り刃３０ｃは、刃先３１、刃地３２、複数の固定孔３３ｃを備える。根切り刃３０ｃは、図２１に示すように、刃地３２および刃先３１の部分が鉛直下方向に湾曲してＲ形状に形成されている。それにより、ハクサイの形状に沿った形で損傷を与えることなく、容易にハクサイの根切りを行うことができる。
【００８４】
（第４の実施の形態）
図２２は、第４の実施の形態に係る収穫装置の一例を示す模式的斜視図であり、図２３は図２２の収穫装置の正面図であり、図２４は図２２の収穫装置の側面図である。
【００８５】
図２２に示すように、収穫装置１００ｃは、保持部１０ｃ、フレーム２０ｃおよび根切り刃３０を含む。保持部１０ｃは、ハンドル部１１および一対の保持棒１２を含む。また、フレーム２０ｃは、一本のＬ字鋼２１ｃ、車輪２３ｃおよび車輪軸２４ｃを含む。
【００８６】
図２２，図２３および図２４に示すように、フレーム２０ｃは、Ｌ字鋼２１ｃのみから形成される。そのＬ字鋼２１ｃの中央部には、車輪軸２４ｃが設けられており、当該車輪軸２４には、車輪２３ｃが設けられる。また、Ｌ字鋼２１ｃの一端側には、保持部１０ｃが設けられる。さらに、Ｌ字鋼２１ｃの他端には、根切り刃３０が設けられる。
【００８７】
この場合、図２４に示すように、収穫装置１００ｃの軽量化を実現することができる。また、ビニールハウス等の狭い領域に対しても収穫装置１００ｃ自体の大きさを小さくすることができるので、有効に根切りを行うことができる。
【００８８】
（第５の実施の形態）
図２５は、第５の実施の形態に係る収穫装置の一例を示す模式的斜視図であり、図２６は図２５の収穫装置の正面図である。
【００８９】
図２５および図２６に示すように、収穫装置１００ｄは、第１の実施の形態における収穫装置１００の補助保持部４０および収穫物収納網５０の代わりに把持部１５を含む。
【００９０】
図２５および図２６に示すように、ハンドル部１１には、一対の保持棒１２の一端側が取り付けられる。また、一対の保持棒１２の他端側には、一対のＬ字鋼２１の一端側が取り付けられ、一対の保持棒１２の他端には、保持部材２２が設けられる。また、一対の保持棒１２の中央部には、強度保持棒１３が設けられる。それにより、一対の保持棒１２の剛性が高められている。また、図２５および図２６に示すように、一対の保持棒１２には、それぞれ把持部１５が取り付けられている。この把持部１５は、収穫装置１００ｄの進行方向に対して前方に延在するように配設されている。
【００９１】
このように、本実施の形態に係る収穫装置１００ｄにおいては、作業者が両手の掌により把持部１５を把持し、ハンドル部１１を作業者の腹部または腕で支えることにより収穫装置１００ｄを移動させることができる。その結果、作業者が収穫装置１００ｄに与える力を分散させることができ、容易に収穫装置１００ｄの移動を行うことができる。
【００９２】
図２７は、図２５および図２６の把持部１５の模式的拡大図である。
【００９３】
図２７に示すように、把持部１５は、一対の保持棒１２に固設されている。なお、これらの把持部１５は、それぞれ矢印Ｒの方向に回転調整を行うことが可能なように取り付けられる。そして、把持部１５は、回転調整後、ねじ等により一対の保持棒１２に固定可能に設けられている。
【００９４】
以上のように、第５の実施の形態に係る収穫装置１００ｄによれば、把持部１５により下方向に力を加えることができるので、根切り刃３０により容易に収穫作業を行うことができる。
【００９５】
また、把持部１５を収穫装置１００ｄのハンドル部１１よりも進行方向に対して広がった形状で配置させることができるので、作業者の好趣に応じた角度で把持部１５を取り付けることができる。
【００９６】
（第６の実施の形態）
図２８は、第６の実施の形態に係る収穫装置の一例を示す模式的斜視図であり、図２９は図２８の収穫装置の正面図である。
【００９７】
図２８および図２９に示すように、収穫装置１００ｅは、第２の実施の形態における収穫装置１００ａの補助保持部４０の代わりに把持部１５を含む。
【００９８】
以上のように、第６の実施の形態に係る収穫装置１００ｅによれば、把持部１５により下方向に力を加えることができるので、根切り刃３０により容易に収穫作業を行うことができる。
【００９９】
このように、本実施の形態に係る収穫装置１００ｅにおいては、作業者が両手の掌により把持部１５を把持し、ハンドル部１１を作業者の腹部または腕で支えることにより収穫装置１００ｅを移動させることができる。その結果、作業者が収穫装置１００ｅに与える力を分散させることができ、容易に収穫装置１００ｅの移動を行うことができる。
【０１００】
（第７の実施の形態）
図３０は、第７の実施の形態に係る収穫装置の一例を示す模式的斜視図であり、図３１は図３０の収穫装置の正面図である。
【０１０１】
図３０および図３１に示すように、収穫装置１００ｆは、第３の実施の形態における収穫装置１００ｂにさらに把持部１５を含む。
【０１０２】
以上のように、第７の実施の形態に係る収穫装置１００ｆによれば、把持部１５により下方向に力を加えることができるので、根切り刃３０により容易に収穫作業を行うことができる。
【０１０３】
このように、本実施の形態に係る収穫装置１００ｆにおいては、作業者が両手の掌により把持部１５を把持し、ハンドル部１１を作業者の腹部または腕で支えることにより収穫装置１００ｆを移動させることができる。その結果、作業者が収穫装置１００ｆに与える力を分散させることができ、容易に収穫装置１００ｆの移動を行うことができる。
【０１０４】
（第８の実施の形態）
図３２は、第８の実施の形態に係る収穫装置の一例を示す模式的斜視図であり、
図３３は図３２の収穫装置の側面図である。
【０１０５】
図３２および図３３に示すように、収穫装置１００ｇは、第６の実施の形態における収穫装置１００ｅにさらに車輪８０を含む。
【０１０６】
車輪８０は、車輪２３の車輪軸２４と平行な軸により支持される。また、当該軸は、車輪軸２４と同様に、一対のL字鋼２１が延在された部分により保持される。
【０１０７】
なお、本実施の形態においては、車輪８０は、車輪２３と同様の大きさの車輪を用いた場合について説明するが、これに限定されず、車輪８０は、車輪２３よりも大きな車輪であってもよく、車輪２３よりも小さな車輪であってもよい。
【０１０８】
次に、図３４は、収穫装置１００ｇを使用した場合の効果を示す図である。
【０１０９】
図３４に示すように、作業者は、把持部１５を両手で把持し、ハンドル部１１を腕に当接させながら立位姿勢で収穫装置１００ｇを移動させることができる。また、作業者は、把持部１５を両手で把持し、ハンドル部１１を腹部に当接させながら立位姿勢で収穫装置１００ｇを移動させることができる。これらは、収穫装置１００ｇに限定されるものではなく、把持部１５を設けた上述した第５の実施の形態から後述する第１３の実施の形態においても同様の効果を得ることができる。
【０１１０】
なお、図３２〜図３４に示すように、収穫装置１００ｇは、車輪８０を備えるので、ハンドル部１１および把持部１５からの力を車輪２３および車輪８０の複数の車輪からの反力で受け止めることができる。その結果、作業者は、収穫装置１００ｇをより安定して移動させつつ、収穫作業を行うことができる。
【０１１１】
（第９の実施の形態）
図３５は、第９の実施の形態に係る収穫装置の一例を示す模式的斜視図であり、図３６は図３５の収穫装置の側面図である。
【０１１２】
図３５および図３６に示すように、収穫装置１００ｈは、第７の実施の形態における収穫装置１００ｆにさらに車輪８０を含む。
【０１１３】
車輪８０は、車輪２３の車輪軸２４と平行な軸により支持される。また、当該軸は、車輪軸２４と同様に、一対のL字鋼２１が延在された部分により保持される。
【０１１４】
なお、本実施の形態においては、車輪８０は、車輪２３と同様の大きさの車輪を用いた場合について説明するが、これに限定されず、車輪８０は、車輪２３よりも大きな車輪であってもよく、車輪２３よりも小さな車輪であってもよい。
【０１１５】
なお、図３５，図３６に示すように、収穫装置１００ｆは、車輪８０を備えるので、ハンドル部１１および把持部１５からの力を車輪２３および車輪８０の複数の車輪からの反力で受け止めることができる。その結果、作業者は、収穫装置１００ｆをより安定して移動させつつ、収穫作業を行うことができる。
【０１１６】
（第１０の実施の形態）
図３７は、第１０の実施の形態に係る収穫装置の一例を示す模式的斜視図であり、図３８は図３７の収穫装置の側面図である。
【０１１７】
図３７および図３８に示すように、収穫装置１００ｉは、第９の実施の形態における収穫装置１００ｈの車輪８０にさらにショックアブソーバ８２を含む。
【０１１８】
車輪８０は、ショックアブソーバ８２を介して一対の保持棒１２に取り付けられる。それにより、一対の保持棒１２の上下移動に対して車輪８０の上下運動を防止することができる。
【０１１９】
なお、車輪２３の車輪軸２４に対してショックアブソーバ８２を用いてもよい。しかし、一対のＬ字鋼２１の先端には、根切り刃３０の相対的位置変化を抑制できるように、ダンパーを硬く設定することが好ましい。
【０１２０】
本実施の形態においては、ショックアブソーバ８２を使用する場合について説明したが、これに限定されず、他の任意の巻きバネ、スプリング、ゴム、オイルダンパー等、任意の弾性体または／および減衰部材を用いてもよい。
【０１２１】
（第１１の実施の形態）
図３９は、第１１の実施の形態に係る収穫装置の一例を示す模式的斜視図であり、図４０は図３９の収穫装置の側面図である。
【０１２２】
図３９および図４０に示すように、収穫装置１００ｊは、第９の実施の形態における収穫装置１００ｈの車輪８０の代わりにそり８５にさらに含む。
【０１２３】
そり８５は、車輪軸２４の進行方向に対して後ろ側に設けられる。そり８５は、車輪軸２４の方向に対して滑走可能なように形成される。
【０１２４】
この場合、図３９，図４０に示すように、収穫装置１００ｊは、そり８５を備えるので、ハンドル部１１および把持部１５からの力を車輪２３およびそり８５の複数からの反力で受け止めることができる。その結果、作業者は、収穫装置１００ｊをより安定して移動させつつ、収穫作業を行うことができる。
【０１２５】
（第１２の実施の形態）
図４１は、第１２の実施の形態に係る収穫装置の一例を示す模式的斜視図であり、図４２は図４１の収穫装置の側面図である。
【０１２６】
図４１および図４２に示すように、収穫装置１００ｋは、第９の実施の形態における収穫装置１００ｈの車輪８０の代わりに車輪付きそり８６にさらに含む。
【０１２７】
車輪付きそり８６は、車輪軸２４の進行方向に対して後ろ側に設けられる。車輪付きそり８６は、車輪軸２４の方向に対して滑走可能なように形成される。
【０１２８】
この場合、図４１，図４２に示すように、収穫装置１００ｋは、車輪付きそり８６を備えるので、ハンドル部１１および把持部１５からの力を車輪２３および車輪付きそり８６の複数からの反力で受け止めることができる。その結果、作業者は、収穫装置１００ｋをより安定して移動させつつ、収穫作業を行うことができる。
【０１２９】
（第１３の実施の形態）
図４３は、第１３の実施の形態に係る収穫装置の一例を示す模式的斜視図であり、図４４は図４３の収穫装置の側面図である。
【０１３０】
図４３および図４４に示すように、収穫装置１００Ｌは、第５の実施の形態の収穫装置１００ｄの把持部１５の代わりに把持部１５ａを含む。
【０１３１】
把持部１５ａは、把持部１５と同様に、一対の保持棒１２の中央部に取り付けられる。この把持部１５ａは、一対の把持部１５を連結したものであり、一対の把持部１５ａの部位を含むものである。それにより、一対の把持部１５と同等の効果を得ることができる。
【０１３２】
上記第１から第１３の実施の形態においては、ホウレンソウ（収穫物２００）が軟弱野菜等の収穫物に相当し、収穫装置１００が収穫装置に相当し、２つの車輪２３が一輪車に相当し、フレーム２０がフレームに相当し、保持部１０が保持部に相当し、根切り刃３０，３０ａ，３０ｂ，３０ｃが根切り刃に相当し、刃先３１，３１ａ，３１ｂ，３１ｃが刃先に相当し、一対のＬ字鋼２１がＬ字鋼および収納部に相当し、把持部１５，１５ａが補助把持部材に相当し、把持部１５が一対の把持部を有する棒状部材に相当し、レバー１１ａが回転操作部に相当し、固定金具が固定具に相当し、一対の保持部材６０が一対の刃物保持部に相当し、目印針３７が誘導針形状に相当し、ショックアブソーバ８２が衝撃吸収部材に相当し、そり８５が補助接地部材に相当し、車輪付きそり８６が補助車輪を含む補助接地部材に相当し、保持部２５、２６が部材に相当し、保持部材２２が支持部に相当し、補助保持部４０が補助保持部に相当する。
【０１３３】
本発明は、上記の好ましい第１から第１３の実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【０１３４】
また、例えば、野菜には、ハクサイまたはキャベツ以外にも田畑で栽培される収穫物（ジャガイモ、サツマイモ、ネギなど）が含まれるものとし、軟弱野菜にはホウレンソウ以外にもビニールハウス等で栽培される収穫物またはアブラナ科植物の大和マナが含まれるものとする。
【図面の簡単な説明】
【０１３５】
【図１】本発明に係る第１の実施の形態に係る収穫装置の一例を示す模式的斜視図
【図２】図１の収穫装置の正面図
【図３】図１の収穫装置の側面図
【図４】根切り刃の形状の一例を示す模式図
【図５】根切り刃の形状の一例を示す模式図
【図６】根切り刃の形状の効果を示す模式図
【図７】根切り刃の形状の効果を示す模式図
【図８】根切り刃の形状の他の例を示す模式図
【図９】根切り刃の形状の他の例を示す模式図
【図１０】根切り刃の形状のさらに他の例を示す模式図
【図１１】根切り刃の形状のさらに他の例を示す模式図
【図１２】収穫装置を畝に適用した状態を示す図
【図１３】収穫装置を使用した場合の効果を示す図
【図１４】本発明に係る第２の実施の形態に係る収穫装置の一例を示す模式的斜視図
【図１５】図１４の収穫装置の正面図
【図１６】図１４の収穫装置の側面図
【図１７】第３の実施の形態に係る収穫装置の一例を示す模式的斜視図
【図１８】図１７の収穫装置の正面図
【図１９】図１７の収穫装置の側面図
【図２０】根切り刃の形状の一例を示す模式図
【図２１】根切り刃の形状の一例を示す模式図
【図２２】第４の実施の形態に係る収穫装置の一例を示す模式的斜視図
【図２３】図２２の収穫装置の正面図
【図２４】図２２の収穫装置の側面図
【図２５】第５の実施の形態に係る収穫装置の一例を示す模式的斜視図
【図２６】図２５の収穫装置の正面図
【図２７】図２５および図２６の把持部の模式的拡大図
【図２８】第６の実施の形態に係る収穫装置の一例を示す模式的斜視図
【図２９】図２８の収穫装置の正面図
【図３０】第７の実施の形態に係る収穫装置の一例を示す模式的斜視図
【図３１】図３０の収穫装置の正面図
【図３２】第８の実施の形態に係る収穫装置の一例を示す模式的斜視図
【図３３】図３２の収穫装置の側面図
【図３４】収穫装置１００ｇを使用した場合の効果を示す図
【図３５】第９の実施の形態に係る収穫装置の一例を示す模式的斜視図
【図３６】図３５の収穫装置の側面図
【図３７】第１０の実施の形態に係る収穫装置の一例を示す模式的斜視図
【図３８】図３７の収穫装置の側面図
【図３９】第１１の実施の形態に係る収穫装置の一例を示す模式的斜視図
【図４０】図３９の収穫装置の側面図
【図４１】第１２の実施の形態に係る収穫装置の一例を示す模式的斜視図
【図４２】図４１の収穫装置の側面図
【図４３】第１３の実施の形態に係る収穫装置の一例を示す模式的斜視図
【図４４】図４３の収穫装置の側面図
【符号の説明】
【０１３６】
１０  保持部
１１ａ  レバー
１５，１５ａ  把持部
２０  フレーム
２１  一対のＬ字鋼
２２  保持部材
２３  ２つの車輪（１個の車輪を含む）
２５，２６  保持部
３０，３０ａ，３０ｂ，３０ｃ  根切り刃
３１，３１ａ，３１ｂ，３１ｃ  刃先
３７  目印針
４０  補助保持部
６０  一対の保持部材
８０  車輪
８２  ショックアブソーバ
８５  そり
８６  車輪付きそり
１００  収穫装置
【図１】
2007295927.tif 000003
【図２】
2007295927.tif 000004
【図３】
2007295927.tif 000005
【図４】
2007295927.tif 000006
【図５】
2007295927.tif 000007
【図６】
2007295927.tif 000008
【図７】
2007295927.tif 000009
【図８】
2007295927.tif 000010
【図９】
2007295927.tif 000011
【図１０】
2007295927.tif 000012
【図１１】
2007295927.tif 000013
【図１２】
2007295927.tif 000014
【図１３】
2007295927.tif 000015
【図１４】
2007295927.tif 000016
【図１５】
2007295927.tif 000017
【図１６】
2007295927.tif 000018
【図１７】
2007295927.tif 000019
【図１８】
2007295927.tif 000020
【図１９】
2007295927.tif 000021
【図２０】
2007295927.tif 000022
【図２１】
2007295927.tif 000023
【図２２】
2007295927.tif 000024
【図２３】
2007295927.tif 000025
【図２４】
2007295927.tif 000026
【図２５】
2007295927.tif 000027
【図２６】
2007295927.tif 000028
【図２７】
2007295927.tif 000029
【図２８】
2007295927.tif 000030
【図２９】
2007295927.tif 000031
【図３０】
2007295927.tif 000032
【図３１】
2007295927.tif 000033
【図３２】
2007295927.tif 000034
【図３３】
2007295927.tif 000035
【図３４】
2007295927.tif 000036
【図３５】
2007295927.tif 000037
【図３６】
2007295927.tif 000038
【図３７】
2007295927.tif 000039
【図３８】
2007295927.tif 000040
【図３９】
2007295927.tif 000041
【図４０】
2007295927.tif 000042
【図４１】
2007295927.tif 000043
【図４２】
2007295927.tif 000044
【図４３】
2007295927.tif 000045
【図４４】
2007295927.tif 000046